(57)【要約】【課題】  液晶表示パネルとＬＥＤとの間に設けられている側壁を省略することによって小型化し、安価で枠体の強度に優れたバックライト装置を提供するる。【解決手段】  箱形の形状をなし上方が開口されている枠体と、該枠体に保持される液晶表示パネルと、該液晶表示パネルの下面側に配置される導光板と、該導光板の受光部となる側面に近接または密接して対向する如く配置される光源と、該光源を実装したフレキシブル回路基板とを備え、前記枠体３０は、その周囲に側壁５１、５２、５３、５４を有し、側壁５１、５２が互いに当接する角部３０ａから側壁５１、５２の内側向かって突出する突起部５０を有し、該突起部５０は二つの側面５０ａ、５０ｂを有し、その一方の側面５０ａに液晶表示パネル１０の端面１０ａを当接し、突起部５０と枠体３０の側壁５２、５３、５４とで液晶表示パネル１０を保持したことを特徴とする。【選択図】    図１
2005242013.tif 000002
【特許請求の範囲】
【請求項１】
箱形の形状をなし上方が開口されている枠体と、該枠体に保持される液晶表示パネルと、該液晶表示パネルの下面側に配置される導光板と、該導光板の受光部となる側面に近接または密接して対向する如く配置される光源と、該光源を実装した回路基板とを備え、前記枠体は、その周囲に側壁を有し、側壁が互いに当接する角部から側壁の内側向かって突出する突起部を有し、該突起部は二つの側面を有し、その一方の側面に前記液晶表示パネルの端面を当接し、前記突起部と前記枠体の側壁とで前記液晶表示パネルを保持したことを特徴とするバックライト付き液晶表示装置。
【請求項２】
前記導光板の角部に切欠部を設け該切欠部を前記枠体に設ける突起部に当接し前記枠体で前記導光板を保持したことを特徴とする請求項１記載のバックライト付き液晶表示装置。
【請求項３】
前記導光板は前記枠体の底面と接着剤を介して固定されていることを特徴とする請求項２記載のバックライト付き液晶表示装置。
【請求項４】
前記導光板の端部に凹部を設け、該凹部に前記光源を配置すると共に、前記光源を実装した回路基板が前記導光板下面と接着剤を介して固定されていることを特徴とする請求項２または請求項３記載のバックライト付き液晶表示装置。
【請求項５】
前記導光板の端部上面に遮光シートを備え、該遮光シートは、その一端を前記突起部の側面に当接し、接着剤を介して導光板の端部上面に固定されていることを特徴とする請求項２から請求項４のいずれか１項に記載のバックライト付き液晶表示装置。
【請求項６】
前記導光板は接着剤を介して前記液晶表示パネルのガラス基板に固定されていることを特徴とする請求項２から請求項５のいずれか１項に記載のバックライト付き液晶表示装置。
【請求項７】
前記突起部の二つの側面のうちの他方の側面の幅が前記光源を実装した回路基板の幅より僅かに大きいことを特徴とする請求項１記載のバックライト付き液晶表示装置。
【請求項８】
前記光源を実装した回路基板がその一端を前記枠体に設ける前記突起部に当接することにより位置決めされることを特徴とする請求項１記載のバックライト付き液晶表示装置。
【発明の詳細な説明】
【技術分野】
【０００１】
本発明はバックライト付き液晶表示装置に係わり特にＬＥＤを光源に用いたサイドライト型のバックライト付きの液晶表示装置に関する。
【背景技術】
【０００２】
透過型または半透過型液晶パネルには、その背面にバックライトが設けられる。このバックライトには、大別して光拡散板などの下に光源を配置した直下型と、導光体の側面に光源を配置したサイドライト（エッジライト）型とがある。サイドライト型バックライトは、液晶表示パネルとほぼ同じ大きさに形成された合成樹脂からなる平板状の導光体を備え、その一つの側面が受光面とされ、その受光面に対向して光源が配置される。このように、サイドライト型バックライトは、導光体の側方に光源を配置する構成であるため、直下型バックライトに比べて薄型化が可能であり、携帯電話や、その他の移動体通信機器に広く利用されている。これらの携帯機器は携帯性が重視されるため軽量化、小型化が強く要求されており、これに対応したバックライト付き液晶表示装置の例が開示されている（例えば、特許文献１参照。）。
【０００３】
以下、図９から図１２を用いて従来技術におけるバックライト付き液晶表示装置の具体的例について説明する。図９はバックライト付き液晶表示装置の平面図、図１０は図９におけるＸ−Ｘ断面図、図１１は図９におけるＹ−Ｙ断面図、図１２はバックライト付き液晶表示装置の分解斜視図である。
【０００４】
図９から図１２に示すように、従来のバックライト付き液晶表示装置１００は、液晶表示パネル１１０と、その下面側に備えたバックライト部１２０と、液晶表示パネル１１０及びバックライト部１２０を保持する枠体１３０などから構成される。液晶表示パネル１１０は、透明電極膜が形成された２枚の上下のガラス基板１１１、１１２の間に液晶物質を封入し、上下のガラス基板１１１、１１２の外側にそれぞれ偏光板１１５、１１６を貼り付けた構成を取っていて、枠体１３０によって保持されている。また、この液晶表示パネル１１０の上ガラス基板１１１にはフレキシブル基板１４０が実装されている。そして、フレキシブル基板１４０には液晶表示パネル１１０を制御駆動するところのＩＣ１４０ａや抵抗，コンデンサー類の電子部品１４０ｂなどが実装されている。このフレキシブル基板１４０は図中右側で枝分かれした分岐のフレキシブル基板１４１が形成されていて、その端部側は枠体１３０の内部の方に組み込まれている。
【０００５】
また、上記バックライト部１２０は、光源であるＬＥＤ１２１と、このＬＥＤ１２１の発光した光を液晶表示パネル１１０の下面側に導く導光板１２２と、導光板１２２の下面などから漏れた光を再び導光板１２２側に反射させる反射板１２３などから構成されていて、いずれも枠体１３０の内部に収納されて配設されている。導光板１２２は、透明なアクリル材などで形成され、その一側面１２２ａからＬＥＤ１２１の光を採り入れて内部に導くと共に、反射板１２３の作用などを利用して上面１２２ｂ側から光を放射する働きをなす。この時、放射した光の明るさを均一にするために導光板１２２と液晶表示パネル１１０の間に光拡散板１２４を配設することも行っている。このように、この液晶表示装置１００は液晶表示パネル１１０の下面側にバックライト部１２０を備えて、枠体１３０の側壁１５０ａ、１５０ｂ、１５０ｃ、１５０ｄでしっかりと保持した構造を取っている。
【０００６】
ここで、ＬＥＤ１２１は、フレキシブル基板１４０から枝分かれした分岐のフレキシブル基板１４１の先端部の方に導電性接着剤や半田付けなどの周知の方法で装着されていて、枠体１３０の内部にあって、導光板１２２の受光壁面１２２ａにＬＥＤ１２１の発光面１２１ａが対面するような形で配設される。このＬＥＤ１２１は白色等の単一の発光素子を備えたものや赤、青、緑の３原色の発光素子を備えたもの等用途に応じて適宜選択して使用される。このＬＥＤ１２１を装着した分岐のフレキシブル基板１４１は、枠体１３０内において、所定の位置に位置決め固定されている。
【０００７】
この液晶表示装置１００は、導光板１２２を収納した枠体１３０の上部に液晶表示パネル１１０をはめ込む構造を取るが、図１２に示すように、枠体１３０の手前部１３０ｂと奥部１３０ｃの２箇所の部分で液晶表示パネル１１０の下ガラス基板１１２と両面接着テープ１３１によって接着固定する構造を取っている。
【０００８】
上記に示した液晶表示装置１００は液晶表示パネル１１０と枠体１３０とが接着固定した構造を取っているものであるが、接着しない構造のものとしては、枠体１３０の外周部何カ所かにフック部を形成して液晶表示パネル１１０のガラス基板に引っ掛けて固定する構造のものも見受けられる。また、この液晶表示装置１００は、ＬＥＤ１２１の発光した光が外に漏れないようにするために遮光板１３２でもってＬＥＤ１２１の上部を覆う構造となっている。
【０００９】
【特許文献１】特開２００３−１５６７３９号公報（第２−３頁、図９−１２）
【発明の開示】
【発明が解決しようとする課題】
【００１０】
上記従来技術におけるバックライト付き液晶表示装置１００にあっては、重量の最も重い液晶表示パネル１１０が衝撃などによって位置ずれを起こさないように液晶表示パネル１１０の周囲、または角部に枠体１３０の側壁１５０ａ、１５０ｂ、１５０ｃ、１５０ｄが設けられている。これらの側壁は小型化のために、その厚さを薄くすることが求められており、特に、液晶表示パネル１１０とＬＥＤ１２１との間に設けられている側壁１５０ａ、１５０ｂの厚さを薄くすることが求められていた。しかしながら、この側壁１５０ａ、１５０ｂの厚さを薄くすることには強度上の問題から限界があり小型化が難しいという問題があった。
【００１１】
（発明の目的）
本発明の目的は、この点に鑑みてなされたものであり枠体の構造を工夫し液晶表示パネルとＬＥＤとの間に設けられている側壁を省略することによって小型化し、安価で枠体の強度に優れたバックライト付き液晶表示装置装置を提供することにある。
【課題を解決するための手段】
【００１２】
上記目的を達成するための本発明のバックライト付き液晶表示装置は、箱形の形状をなし上方が開口されている枠体と、該枠体に保持される液晶表示パネルと、該液晶表示パネルの下面側に配置される導光板と、該導光板の受光部となる側面に近接または密接して対向する如く配置される光源と、該光源を実装した回路基板とを備え、枠体は、その周囲に側壁を有し、側壁が互いに当接する角部から側壁の内側向かって突出する突起部を有し、該突起部は二つの側面を有し、その一方の側面に液晶表示パネルの端面を当接し、突起部と枠体の側壁とで液晶表示パネルを保持したことを特徴とする。
【００１３】
また、導光板の角部に切欠部を設け該切欠部を枠体に設ける突起部に当接し枠体で導光板を保持したことを特徴とする。
また、導光板は前記枠体の底面と接着剤を介して固定されていることを特徴とする。
また、導光板の端部に凹部を設け、該凹部に前記光源を配置すると共に光源を実装した回路基板が導光板下面と接着剤を介して固定されていることを特徴とする。
また、導光板の端部上面に遮光シートを備え、該遮光シートは、その一端を突起部の側面に当接し接着剤を介して導光板の端部上面に固定されていることを特徴とする。
また、導光板は接着剤を介して液晶表示パネルのガラス基板に固定されていることを特徴とする。
また、突起部の二つの側面のうちの他方の側面の幅が光源を実装したフレキシブル回路基板の幅より僅かに大きいことを特徴とする。
また、光源を実装した回路基板が、その一端を突起部に当接して位置決めされることを特徴とする。
【発明の効果】
【００１４】
以上のように本発明のバックライト付き液晶表示装置は、枠体の一つの角部から内側向かって突出する突起部と枠体の側壁とで液晶表示パネルを確実に保持することができる。これによって、液晶表示パネルとＬＥＤとの間に設けられていた枠体の側壁を省略することができる。この結果、液晶表示パネルとＬＥＤとを近接して配置することが可能となり、小型で低価格のバックライト付き液晶表示装置を実現することができる。
【発明を実施するための最良の形態】
【００１５】
以下、図をもって本発明の実施形態を説明する。図１から図８は本発明の実施形態に係るバックライトを備えた液晶表示装置を示す。図１は液晶表示装置の平面図、図２は図１におけるＸ−Ｘ断面図、図３は図１におけるＹ−Ｙ断面図、図４は本実施形態に係るバックライト付き液晶表示装置の枠体の斜視図、図５は図４におけるＡ部の部分拡大斜視図、図６は本実施形態に係るバックライト付き液晶表示装置の導光板を示す斜視図である。また、図７は本実施形態に係る枠体に分岐のフレキシブル基板を配置した状態を示し、図７（ａ）は平面図、図７（ｂ）は図７（ａ）におけるＸ−Ｘ断面図、図８は図７における枠体に導光板を配置した状態を示し、図８（ａ）は平面図、図８（ｂ）は図８（ａ）におけるＸ−Ｘ断面図である。
【００１６】
図１から図３に示すように本実施形態におけるバックライト付き液晶表示装置１は、液晶表示パネル１０と、その下面に備えられたバックライト部２０と、液晶表示パネル１０及びバックライト部２０を保持する枠体３０などから構成される。枠体３０は図４に示すように、その周囲に側壁５１、５２、５３、５４が形成されており、側壁５１と側壁５２とが当接する角部３０ａに側壁５１、５２の内側に向かって突出する突起部５０が設けられている。この突起部５０は図５に示すように二つの側面５０ａ、５０ｂを有し、一方の側面５０ａは枠体の側壁５１とほぼ平行に形成され、他方の側面５０ｂは枠体の側壁５２とほぼ平行に形成されている。また、枠体の側壁５２の内側に沿って段部３０ｃが形成され、側壁５２と対向する側壁５４の内側に沿って段部３０ｂが形成されている。
【００１７】
液晶表示パネル１０は従来技術の液晶表示パネルと同様に上下のガラス基板１１、１２の外側にそれぞれ偏光板１５、１６を貼り付けた構成を取っていて、枠体３０の突起部５０の一方の側面５０ａに、液晶表示パネル１０の端面１０ａを当接し、この突起部５０の一方の側面５０ａと、枠体３０の側壁５２、５３、５４とによって保持されている。また、液晶パネル１０の下面が枠体３０の段部３０ｂ、３０ｃと接着剤３１によって接着固定されている。接着剤３１は周知の両面粘着テープで代用することもできる。さらに、液晶表示パネル１０を構成する下ガラス基板１２にはフレキシブル基板４０が実装されていて、枠体３０の側壁５４の開口部５４ａから外部に延長されている。このフレキシブル基板４０には枝分かれした分岐のフレキシブル基板４１が形成されていて、その端部側は枠体３０の内部の方に組み込まれ、図７に示すように分岐のフレキシブル基板４１の先端４１ａを枠体３０の突起部５０の他方の側面５０ｂと対向する、若しくは当接するように配置される。ここで、突起部５０の他方の側面５０ｂの幅ａの値は分岐のフレキシブル基板４１の幅ｂ値より僅かに大きい値に設定されている。尚、この分岐のフレキシブル基板４１には光源であるＬＥＤ２１が所定の位置に実装されている。
【００１８】
バックライト部２０は、導光板２２と、枝分かれした分岐のフレキシブル基板４１に実装されて導光板２２の凹部２２ｄ内に配置されるＬＥＤ２１と、導光板２２の下面に形成される反射シート２３と、ＬＥＤ２１の上部に備えられる遮光シート３２等から構成される。また、このバックライト部２０と液晶表示パネル１０との間には光拡散板２４を狭設して、照明する明るさを均一になるようにしている。
【００１９】
導光板２２は、図２、図６に示すように液晶表示パネル１０の端面１０ａ（これは上下のガラス基板１１、１２の端面にも相当する）より突出した端部２２ａを有している。そして、その端部２２ａのほぼ中央部に凹部２２ｄを設け、端部２２ａの一方の角部に切欠部２２ｅを設けている。この導光板２２は図８に示すように、その切欠部２２ｅを枠体３０の突出部５０の二つの側面５０ａ、５０ｂに当接し、枠体３０の段部３０ｂと段部３０ｃとの間に落とし込まれるように配置される。また、導光板は２２は前述の反射シート２３と共に枠体３０に接着剤若しくは両面粘着テープで固定される。この導光板２２の凹部２２ｄには光源であるＬＥＤ２１が収納されるように配置される。このＬＥＤ２１は枝分かれした分岐のフレキシブル基板４１の先端４１ａの近傍の上面側に実装されたものであって、分岐のフレキシブル基板４１を導光板２２の端部２２ａの下面２２ｃに接着剤で接着固定されることによって、ＬＥＤ２１を凹部２２ｄの中に収納される。凹部２２ｄに収納されたＬＥＤ２１は、その発光面２１ａが凹部２２ｄによって形成される導光板２２の入光側面２２ｆに対面しており、ＬＥＤ２１の発光した光は導光板２２の入光側面２２ａを通って導光板内部に導光されるようになっている。
【００２０】
また、図１、図２に示すように導光板２２の端部２２ａの上面２２ｂには遮光シート３２が配置され接着固定される。接着剤としては両面接着テープなどが使用される。この遮光シート３２は、ＬＥＤ２１の光が外に漏れるのを防止するために用いるもので、上面側は黒色印刷等が施されたもので、下面側はＡｇ蒸着膜等の反射膜が形成されたものからなるシート材が好適に使用される。
【００２１】
反射シート２３は、導光板２２の下面や側面から漏れた光を再び導光板２２内に反射させるために設けるもので、反射率の高い材料で、極力薄いものが好適に選ばれる。例えば、アルミ箔シート、白色顔料を分散したフィルムシート、白色塗料を塗布したフィルムシート、フィルムシートにアルミ金属膜などを形成したものなどである。また、白色塗料を直接導光板２２に塗布したものであってもかまわない。
【００２２】
本発明の実施形態では導光板２２を接着剤若しくは粘着材にて固定したが、導光板２２にフックを設け、同時に枠体３０の底面の対応する箇所に嵌合穴を設け、このフックと嵌合穴とを嵌合させて導光板を固定する方法でも良い。また、光源であるＬＥＤ２１をフレキシブル基板４１の先端４１ａに装着したが、先端４１ａ相当部分がプリント回路基板であり、リード線にて電源供給部と接続する構成を用いた場合であっても同様な効果が得られることが確認された。
【００２３】
以上のように本発明のバックライト付き液晶表示装置は、枠体３０の一つの角部から内側に向かって突出する突起部５０を設け、この突起部５０の一方の側面５０ａに液晶表示パネル１０の端面１０ａを当接し、この突起部５０と枠体３０の側壁５２、５３、５４で液晶表示パネル１０を保持する構造になっている。この突起部５０は重量の大きい液晶表示パネル１０が衝撃等によって位置ずれを起こすことを防止できるだけの充分な強度を有するため、従来技術において液晶表示パネルとＬＥＤとの間に設けられていた枠体の側壁を省略することができる。この結果、液晶表示パネル１０とＬＥＤ２１とを近接して配置することが可能となり枠体の強度に優れ高信頼性を有すると共に小型で低価格のバックライト付き液晶表示装置を提供することができる。
【図面の簡単な説明】
【００２４】
【図１】本発明の実施形態に係るバックライト付き液晶表示装置の平面図である。
【図２】図１におけるＸ−Ｘ断面図である。
【図３】図１におけるＹ−Ｙ断面図である。
【図４】本発明の実施形態に係るバックライト付き液晶表示装置の枠体の斜視図である。
【図５】図４におけるＡ部の部分拡大斜視図である。
【図６】本発明の実施形態に係るバックライト付き液晶表示装置の導光板を示す斜視図である。
【図７】本発明の実施形態に係るバックライト付き液晶表示装置の枠体に分岐のフレキシブル基板を配置した状態を示す平面図である。
【図８】図７における枠体に導光板を配置した状態を示す平面図である。
【図９】従来のバックライト付き液晶表示装置の平面図である。
【図１０】図９におけるＸ−Ｘ断面図である。
【図１１】図９におけるＹ−Ｙ断面図である。
【図１２】従来のバックライト付き液晶表示装置の分解斜視図である。
【符号の説明】
【００２５】
１    バックライト付き液晶表示装置
１０    液晶表示パネル
１０ａ  液晶表示パネルの端面
１１    上ガラス基板
１２    下ガラス基板
１５    上偏光板
１６    下偏光板
２０    バックライト部
２１    ＬＥＤ
２１ａ  発光面
２２    導光板
２２ａ  端部
２２ｂ  上面
２２ｃ  下面
２２ｄ  導光板の凹部
２２ｅ  導光板の切欠部
２２ｆ  導光板の光入射面
２３    反射シート
２４    光拡散板
３０    枠体
３０ａ  枠体の角部
３０ｂ  枠体の段部
３０ｃ  枠体の段部
３２    遮光シート
４０    フレキシブル基板
４１    分岐のフレキシブル基板
４１ａ  分岐のフレキシブル基板の端部
５０    突起部
５０ａ  突起部の一方の側面
５０ｂ  突起部の他方の側面
５１、５２、５３、５４  枠体の側壁
５４ａ  側壁の開口部
【図１】
2005242013.tif 000003
【図２】
2005242013.tif 000004
【図３】
2005242013.tif 000005
【図４】
2005242013.tif 000006
【図５】
2005242013.tif 000007
【図６】
2005242013.tif 000008
【図７】
2005242013.tif 000009
【図８】
2005242013.tif 000010
【図９】
2005242013.tif 000011
【図１０】
2005242013.tif 000012
【図１１】
2005242013.tif 000013
【図１２】
2005242013.tif 000014